(57)【特許請求の範囲】
【請求項１】
建物外壁の屋外側に建物高さ方向に沿って外付けされた外付化粧材は、凹部及び凸部を有し、前記凹部が前記建物外壁と接触しかつ前記建物高さ方向に延設された壁状の接触部と、当該接触部の幅方向の外縁に沿って設けられると共に当該建物外壁との間に空間部を形成する非接触部とされた前記凸部と、によって構成されている建物外壁構造。
【請求項２】
前記建物高さ方向の全域に亘って前記凹部及び前記凸部が形成されている請求項１に記載の建物外壁構造。
【請求項３】
前記外付化粧材には、建物外壁に設けられた窓又は玄関と対向させて開口部が設けられている請求項１又は２に記載の建物外壁構造。
【請求項４】
前記非接触部は前記外付化粧材の幅方向の外縁に設けられ、水平断面視でコ字状を成している請求項１〜３の何れか１項に記載の建物外壁構造。
【請求項５】
前記非接触部では、直流用配管と交流用配管とが独立して設けられている請求項１〜４の何れか１項に記載の建物外壁構造。
【請求項６】
前記外付化粧材が、複数の化粧部材で構成されている請求項１〜５の何れか１項に記載の建物外壁構造。
【請求項７】
建物外壁の屋外側に建物高さ方向に沿って外付けされた外付化粧材は、凹部及び凸部を有し、前記凹部が前記建物外壁と接触する接触部であり、前記凸部が当該建物外壁との間に空間部を形成する非接触部とされており、
前記非接触部内に蓄電池が設けられ、前記蓄電池が、建物に設置された太陽光発電パネルと電気的に接続されると共に、
前記外付化粧材が車庫側の前記建物外壁に取り付けられて、当該外付化粧材に、前記蓄電池と電気的に接続されたコンセントが設けられている建物外壁構造。
【発明の詳細な説明】
【技術分野】
【０００１】
本発明は、一般住宅における建物外壁構造に関する。
【背景技術】
【０００２】
一般的に、住宅の外観はプランに縛られた形状となり、外壁を除く外観の選択範囲は狭く、ファサードとなる住宅の顔については、例えば駐車スペース（接道方向）に合わせて設けられ、同一商品であっても異なる外観となる（例えば、特許文献１）。このため、外観バリエーションを増やす為にはプランそのものを増やす必要があり、作業が膨大となりコスト高の要因となる。
【０００３】
これに対して、固定プランを採用し、どの方向の道路に面して建設しても住宅の顔となる様、４面全てをファサードとする方法もある。しかし、この場合、道路に面しない３面も化粧を施すことになるため、コスト高となる。その上、違った様式のデザインバリエーションを用意する場合、プランから新たに開発する必要があり、商品構成が煩雑となってしまう。
【先行技術文献】
【特許文献】
【０００４】
【特許文献１】特開２００５−４２４５８号公報
【発明の概要】
【発明が解決しようとする課題】
【０００５】
本発明は上記事実を考慮し、最小限の基本プランでバリエーションを多様化させることができ、開発や販売コストを大幅削減し、住宅商品の低価格化を図ることができる建物外壁構造を得ることが目的である。
【課題を解決するための手段】
【０００６】
請求項１に記載の発明に係る建物外壁構造は、建物外壁の屋外側に建物高さ方向に沿って外付けされた外付化粧材は、凹部及び凸部を有し、前記凹部が前記建物外壁と接触しかつ前記建物高さ方向に延設された壁状の接触部と、当該接触部の幅方向の外縁に沿って設けられると共に当該建物外壁との間に空間部を形成する非接触部とされた前記凸部と、によって構成されている。
【０００７】
請求項１に記載の発明に係る建物外壁構造では、建物外壁の屋外側に、建物高さ方向に沿って外付化粧材が外付けされている。これにより、外付化粧材を含めた建物外壁の表面には凹凸が形成されることとなり、立体感が出て高級感が得られる。つまり、建物の外壁に外付化粧材を外付けするだけで、該外壁がファサード化されることとなる。
【０００８】
このため、住宅の基本プランはそのままで、建物の立地条件に合わせて、ファサード化したい外壁に外付化粧材を外付けすれば良く、また、複数の外壁をファサード化することも可能である。つまり、最小限の基本プランで、顧客のニーズに合わせて個々にファサードの向きに対応することができる。
【０００９】
また、基本プランが同じ家同士が隣接する場合でも、外付化粧材の取付け位置によって互いに異なる外観を造ることができ、また、逆に基本プランが異なる家であって同じファサードを選択することができる。これにより、北入り住宅でも東西入り住宅でも南入り住宅と同様の外観を得ることができる。また、外装コストのファサードへの傾斜配分が可能なため、見える部分に集中的に高級資材を使用することができ、合理的である。つまり、市場ニーズから基本プランを絞り、コスト上有利なシンプル形状に限定する。そして、最小限の基本プランでバリエーションを多様化させる。
【００１０】
さらに、ここでは、外付化粧材と建物外壁との間に空間部が形成されている。これにより、該空間部内に例えば配線や配管などを配設することができ、屋根から地面に亘る配線や配管の配設を容易に行うことができる。また、配線や配管が外部に露出しないため、建物の美観を向上させることができる。
【００１１】
請求項２に記載の発明に係る建物外壁構造は、請求項１に記載の建物外壁構造において、前記建物高さ方向の全域に亘って前記凹部及び前記凸部が形成されている。
【００１２】
請求項２に記載の発明に係る建物外壁構造では、建物高さ方向の全域に亘って凹部及び凸部が形成されているため、空間部内において二階部分から一階部分に亘って配線の配設が可能となる。
【００１３】
請求項３に記載の発明に係る建物外壁構造は、請求項１又は２に記載の建物外壁構造において、前記外付化粧材には、建物外壁に設けられた窓又は玄関と対向させて開口部が設けられている。
【００１４】
請求項３に記載の発明に係る建物外壁構造では、外付化粧材に、建物外壁に設けられた窓又は玄関と対向させて開口部を設けることで、窓や玄関の位置に拘束されることなく、自由に外付化粧板を外壁に外付けすることができるため、建物の設計の自由度が広がる。また、窓と対向させて設けた開口部に断熱ガラスを用いて二重に断熱することもできる。
【００１５】
請求項４に記載の発明に係る建物外壁構造は、請求項１〜３の何れか１項に記載の建物外壁構造において、前記非接触部は前記外付化粧材の幅方向の外縁に設けられ、水平断面視でコ字状を成している。
【００１６】
請求項４に記載の発明に係る建物外壁構造では、非接触部は外付化粧材の幅方向の外縁に設けられているため、外付化粧材の中で空間部を二つ形成することができる。
【００１７】
請求項５に記載の発明に係る建物外壁構造は、請求項１〜４の何れか１項に記載の建物外壁構造において、前記非接触部では、直流用配管と交流用配管とが独立して設けられている。
【００１８】
請求項５に記載の発明に係る建物外壁構造では、非接触部で、直流用配管と交流用配管とを独立させた状態で配設することで、直流用配線及び交流用配線の取付けミスを防止することができる。
【００１９】
請求項６に記載の発明に係る建物外壁構造は、請求項１〜５の何れか１項に記載の建物外壁構造において、前記外付化粧材が、複数の化粧部材で構成されている。
【００２０】
請求項６に記載の発明に係る建物外壁構造では、外付化粧材を複数の化粧部材で構成することで、外付化粧材が一体物である場合と比較して化粧部材の外形を小さくすることができる。
【００２１】
請求項７に記載の発明に係る建物外壁構造は、建物外壁の屋外側に建物高さ方向に沿って外付けされた外付化粧材は、凹部及び凸部を有し、前記凹部が前記建物外壁と接触する接触部であり、前記凸部が当該建物外壁との間に空間部を形成する非接触部とされており、前記非接触部内に蓄電池が設けられ、前記蓄電池が、建物に設置された太陽光発電パネルと電気的に接続されると共に、前記外付化粧材が車庫側の前記建物外壁に取り付けられて、当該外付化粧材に、前記蓄電池と電気的に接続されたコンセントが設けられている。
【００２２】
請求項７に記載の発明に係る建物外壁構造では、非接触部内に蓄電池が設けられ、建物に設置された太陽光発電パネルと蓄電池とを電気的に接続することで、太陽光発電パネルによって得られた電力を蓄電池に充電することができる。また、建物をファサード化するために形成された空間部を利用することで、スペースの有効利用を図ることができる。
【００２４】
また、請求項７に記載の発明に係る建物外壁構造では、外付化粧材に、蓄電池と電気的に接続されたコンセントを設けることで、外付化粧材内に設けられた蓄電池による電力の給電が可能となる。通常、建物のファサード側は道路に接する側（いわゆる接道側）となっているため、車庫が設けられる場合が多い。このため、外付化粧材にコンセントを設け、蓄電池による電力の給電ができるようにすることで、車両用蓄電池を充電する場合、延長コードを用いて建物内のコンセントから給電しなくて済むので便利である。
【発明の効果】
【００２５】
以上説明したように、請求項１に記載の本発明に係る建物外壁構造によれば、最小限の基本プランでバリエーションを多様化させることができ、開発や販売コストを大幅削減し、住宅商品の低価格化を図ることができるという優れた効果を有する。
【００２６】
請求項２に記載の本発明に係る建物外壁構造によれば、配線が外部に露出しないため、建物の美観を向上させることができるという優れた効果を有する。
【００２７】
請求項３に記載の本発明に係る建物外壁構造によれば、建物の設計の自由度が広がるという優れた効果を有する。
【００２８】
請求項４に記載の本発明に係る建物外壁構造によれば、外付化粧材の中で２つの部材を独立させた状態で配置することができるという優れた効果を有する。
【００２９】
請求項５に記載の本発明に係る建物外壁構造によれば、直流用配線への電磁波ノイズの影響を抑制することができる。
【００３０】
請求項６に記載の本発明に係る建物外壁構造によれば、外付化粧材（化粧部材）が持ち運びし易くなり、搬送性が向上する。
【００３１】
請求項７に記載の本発明に係る建物外壁構造によれば、太陽光発電パネルによる蓄電池の充電が可能という優れた効果を有する。
【００３２】
また、請求項７に記載の本発明に係る建物外壁構造によれば、建物屋外への電力の給電が可能という優れた効果を有する。
【図面の簡単な説明】
【００３３】
【図１】第１実施形態に係る建物を示す、（Ａ）は南側から見た建物の正面図であり、（Ｂ）は（Ａ）のＡ−Ａ線断面図である。
【図２】（Ａ）は基本プランを示す平面図であり、（Ｂ）は図１（Ａ）の平面図である。
【図３】基本プランを示す、（Ａ）は南側から見た建物の正面図、（Ｂ）は北側から見た建物の正面図、（Ｃ）は東側から見た建物の正面図である。
【図４】第１実施形態に係る建物を示す、（Ａ）は北側から見た建物の正面図であり、（Ｂ）は東側から見た建物の正面図である。
【図５】第１実施形態に係る外付化粧材を示す斜視図である。
【図６】第１実施形態に係る外付化粧材の要部拡大斜視図である。
【図７】第１実施形態に係る蓄電設備の構成を示すブロック図である。
【図８】（Ａ）は南側に車庫が設けられた建物の平面図、（Ｂ）は北側に車庫が設けられた建物の平面図、（Ｃ）は東側に車庫が設けられた建物の平面図である。
【図９】参考例を示す、（Ａ）は南側から見た建物の正面図であり、（Ｂ）は（Ａ）のＢ−Ｂ線断面図である。
【発明を実施するための形態】
【００３４】
本発明の実施形態に係る建物について説明する。
図２（Ａ）及び図３（Ａ）〜（Ｃ）には、基本プランの建物１１が示されており、図２（Ａ）は一階部分１４の平面図、図３（Ａ）は南側から見た建物１１の正面図、図３（Ｂ）は北側から見た建物１１の正面図、図３（Ｃ）は東側から見た建物１１の正面図がそれぞれ図示されている。なお、西側から見た建物１１の正面図については図示を省略している。ここでは、ユニット工法による住宅を一例として挙げるが、本発明の適用対象となる建物は、鉄骨軸組構造などによる住宅が含まれる外、住宅以外の用途の建物も含まれる。
【００３５】
（建物の構成）
図３（Ａ）に示される建物１１は、一例として、予め工場内で組み立てられた複数の箱型の建物ユニットを現地で基礎１２上に据え付けることにより構築された一階部分１４と、同様にして一階部分１４の上に複数の箱型の建物ユニットを据え付けることにより構築された二階部分１６と、二階部分１６の上に据え付けられた屋根部１８と、を含んで構成されている。一階部分１４と二階部分１６の周囲には、複数のパネル材で構成された外壁２０が取り付けられており、建物ユニットは、一例として、鉄骨の柱と溝形鋼からなる梁とを含んで構成されている。なお、建物１１の階数は特に規定されるものではなく、平屋住宅であっても良い。
【００３６】
本発明の実施形態に係る建物１１は、図１（Ａ）及び図２（Ｂ）に示されるように、建物１０（図２（Ａ）及び図３（Ａ）参照)の南側の外壁２０に、建物１０の一階部分から二階部分に亘って高さ方向に延設された外付化粧材２２が、ビス締めや接着などにより取付けられている。この外付化粧材２２は、外壁２０の種類や色によって異なるが、煉瓦やタイル、モルタル等による化粧が施されている。ここでは、該外付化粧材２２を南側の外壁２０に取付けることによって、南側の外壁２０が住宅の顔となっている（ファサード化されている）。
【００３７】
なお、図３（Ｂ）に示される建物１０の北側の外壁２１に、外付化粧材２２を取付けることで、図４（Ａ）に示されるように、北側の外壁２１がファサード化され、図３（Ｃ）に示される建物１０の東側の外壁２３に外付化粧材２２を取付けることで、図４（Ｂ）に示されるように、東側の外壁２３がファサード化されることとなる。通常、道路７０に面した外壁２０の壁面がファサードとなるケースが多いため、道路７０に面した外壁２０の壁面に優先的に外付化粧材２２が設けられることとなるが、外壁２０、２１、２３、２５のうち複数の壁面をファサード化しても良い。
【００３８】
ここで、図１（Ｂ）（外付化粧材２２の水平断面図である）及び図５（外付化粧材２２を外壁２０側から見た斜視図である）に示されるように、外付化粧材２２の幅方向の中央部には、外壁２０と略接触する接触部２４が設けられており、幅方向の外縁には、水平断面がコ字状に形成され外壁２０との間で空間部２６を形成する非接触部２７、２８がそれぞれ設けられている。
【００３９】
また、図１（Ａ）及び図５に示されるように、接触部２４では、外壁２０の窓部３０と対向するようにして開口部３２が設けられている。この開口部３２は、例えば、窓部３０が明かり取り窓の場合、嵌め殺し窓としてガラスが設けられても良い。なお、図４（Ｂ）に示されるように、東側の外壁２０には玄関３４が設けられているため、外付化粧材２２には、該玄関３４と対向するようにして開口部３６が設けられる。
【００４０】
一方、図１（Ａ）及び図５に示されるように、非接触部２７、２８では、空間部２６が建物１０の一階部分１４から二階部分１６に亘って高さ方向で繋がっており、当該空間部２６には、一例として、蓄電システム３８を構成する制御装置４３が配設されている。この場合、例えば、図１（Ａ）に示されるように、建物１０の南側の屋根部１８の傾斜面には、太陽光発電に用いられる太陽光発電パネル４０が敷設されており、この太陽光発電パネル４０と制御装置４３とが電気的に接続される。
【００４１】
また、図６に示されるように（図５で示す外付化粧材２２の非接触部２８を部分的に拡大させた斜視図である）、外付化粧材２２の空間部２６内の下部側には、水平方向が面内方向となるように、載置台４６が非接触部２８の周壁に固定されており、該載置台４６上にはパワーコンディショナ４４が載置されている。
【００４２】
このパワーコンディショナ４４は、直流電圧を交流電圧に変換するインバータと直流電圧の電圧レベルを変換するＤＣ−ＤＣコンバータとを有しており、パワーコンディショナ４４と太陽光発電パネル４０とは直流電流が流れる配線（直流用配管）４８によって電気的に接続されている。また、パワーコンディショナ４４には交流電流が流れる配線（交流用配管）５０が電気的に接続されており、該配線５０を介してパワーコンディショナ４４と建物１０内の一階部分１４及び二階部分１６の電気機器５２とがそれぞれ接続されている。そして、パワーコンディショナ４４のインバータを介して直流電圧が交流電圧へ変換されて交流電圧が電気機器５２等へ供給される。なお、本実施形態における配線とは、１本の配線だけでなく、信号線や電源供給線等の複数の配線の集合体を含むものである。
【００４３】
パワーコンディショナ４４の上方では、外壁２０と直交すると共に、外付化粧材２２の空間部２６の高さ方向に沿って、一対の壁板５４が非接触部２８の周壁に固定されており、壁板５４と壁板５４の間には載置台４６と平行に複数の載置台５６が固定され、該載置台５６上には蓄電池４２が載置されている。外壁２０と壁板５４及び載置台５６の間には、隙間が設けられており、蓄電池４２が載置された空間部６２同士は互いに連通して、空間部６２内で熱が籠もらないようにしている。
【００４４】
蓄電池４２とパワーコンディショナ４４とは、直流電流が流れる配線（直流用配管）５８によって電気的に接続されており、パワーコンディショナ４４のＤＣ−ＤＣコンバータを介して直流電圧の電圧レベルが変換されて、蓄電池４２に直流電圧が供給される。蓄電池４２に蓄電された電力は、パワーコンディショナ４４を介して直流電圧の電圧レベルが変換され、後述する車両用蓄電池６０（図７参照）へ供給、或いは、直流電圧が交流電圧へ変換されて電気機器５２等へ供給される。
【００４５】
また、外付化粧材２２の非接触部２８の下部には、車両用蓄電池６０への給電、車両用蓄電池６０からの給電を可能とする外部コンセント６４が設けられている。この外部コンセント６４は、未使用時には図示しないカバー部材で覆われ、使用時には該カバー部材を取り外すことで、プラグを差し込み可能となっている。外部コンセント６４とパワーコンディショナ４４とは、直流電流が流れる配線（直流用配管）６６によって電気的に接続されており、該パワーコンディショナ４４のＤＣ−ＤＣコンバータを介して直流電圧の電圧レベルが変換され、外部コンセント６４には直流電圧が供給される。
【００４６】
一方、車両用蓄電池６０の電力は、パワーコンディショナ４４を介して直流電圧の電圧レベルが変換されて、蓄電池４２へ供給され、或いは、直流電圧が交流電圧へ変換されて電気機器５２等へ供給される。なお、電気機器５２の中には、ＬＥＤ照明機器などの直流負荷も含まれるが、このような直流負荷への接続では、パワーコンディショナ４４のＤＣ−ＤＣコンバータを介して直流電圧の電圧レベルが変換されて、直流電圧が供給される場合もある。
【００４７】
（建物の蓄電システム）
次に、建物の蓄電システム３８について説明する。
【００４８】
図７には、建物１０（図１参照）の蓄電システム３８の構成がブロック図で示されている。蓄電システム３８は、太陽光発電パネル４０と、パワーコンディショナ４４と、蓄電池４２とを含んで構成されており、この蓄電システム３８に対して建物１０内の電気機器５２又は車両に搭載された車両用蓄電池６０が接続され、それぞれに対して電力供給されるようになっている。
【００４９】
ここで、パワーコンディショナ４４と蓄電池４２とを含む制御装置４３が構成されており、この制御装置４３によって、太陽光発電パネル４０から蓄電池４２への充電、又は蓄電池４２の放電等が制御されるようになっている。これにより、各時間帯において必要な電力を算出し、時間帯に応じて、蓄電池４２の電力を充電又は放電する。
【００５０】
蓄電池４２の電力の使用状況は情報として自動的に蓄積されるようになっており、初期入力による情報が自動的に更新されるようにすることで、蓄電池４２の蓄電量が自動的に調整される。例えば、昼間は太陽光発電パネル４０で得られた電力等を蓄電池４２に蓄えると共に夜間は料金が安い深夜電力を蓄電池４２に蓄え、昼間の料金が高い時間帯に蓄電池４２で蓄電した電力を放電して利用するといった使い方ができる。
【００５１】
蓄電池４２としては、例えば、リチウムイオン蓄電池、鉛蓄電池、ニッケル水素蓄電池といった蓄電池が適用可能であるが、ニッケルカドミウム蓄電池等の他の蓄電池であってもよく、また、これらの蓄電池４２に代えて燃料電池（固体高分子型燃料電池）を用いても良い。ちなみに、鉛蓄電池、ニッケル水素蓄電池は、４０℃程度までの発生熱で制御されており、又リチウムイオン蓄電池は６０℃程度までの発生熱で制御されている。そして、燃料電池は６０〜７０℃程度までの発生熱で制御されている。
【００５２】
蓄電池４２の蓄電容量は、蓄電池４２が設置される箇所ごとに負荷の大きさに応じて異なる設定とされている。すなわち、蓄電容量が大きい蓄電池４２もあれば、蓄電容量が中程度の蓄電池４２もあり、更に蓄電容量が小さい蓄電池４２もある。蓄電池４２の蓄電容量の変更の仕方には二種類あり、上述したように、一つは同一容量の蓄電池４２を必要個数繋いで蓄電容量を整数倍で増加させていく手法であり、他の一つは要求される蓄電容量を単体で賄うことができる蓄電池４２を予め用意して設置する手法である。
【００５３】
前者の場合には、蓄電容量が異なる複数種類の蓄電池４２を予め用意する必要がないため、結線作業を廃止でき、その分コスト削減を図ることができる。一方、後者の場合には、単体の蓄電池４２で必要な蓄電容量を賄うので、蓄電池４２を複数個繋いで大容量化する場合に比べて設置スペースの削減を図ることができる。いずれを選択するかは、確保できる蓄電池４２の大きさや費用等を勘案して決定される。
【００５４】
（作用・効果）
次に、本実施形態に係る建物の作用・効果について説明する。
【００５５】
図１（Ａ）、（Ｂ）に示されるように、本実施形態に係る建物１０の外壁２０には、建物１０の一階部分から二階部分に亘って高さ方向に延設された外付化粧材２２が外付けされている。これにより、外付化粧材２２を含めた外壁２０の表面には凹凸が形成されることとなり、外壁２０に立体感が出て高級感が得られる。つまり、建物１０の外壁２０に外付化粧材２２を外付けするだけで、該外壁２０がファサード化されることとなる。
【００５６】
このため、住宅の基本プラン（図２（Ａ）及び図３（Ａ）〜（Ｃ）参照）はそのままで、建物１０の立地条件に合わせて、例えば、図１（Ａ）、図４（Ａ）及び図４（Ｂ）に示されるように、ファサード化したい外壁２０、２１、２３に外付化粧材２２を外付けすれば良く、また、複数の外壁２０、２１、２３をファサード化することも可能である。つまり、最小限の基本プランで、顧客のニーズに合わせて個々にファサードの向きに対応することができる。
【００５７】
また、基本プランが同じ家同士が隣接する場合でも、外付化粧材２２の取付け位置によって互いに異なる外観を造ることができ、また、逆に基本プランが異なる家であって同じファサードを選択することができる。これにより、北入り住宅でも東西入り住宅でも南入り住宅と同様の外観を得ることができる。
【００５８】
また、外装コストのファサードへの傾斜配分が可能なため、見える部分に集中的に高級資材を使用することができ、合理的である。つまり、市場ニーズから基本プランを絞り、コスト上有利なシンプル形状に限定する。そして、最小限の基本プランでバリエーションを多様化させる。換言すると、基本プランを最小限にして、開発や販売コストを大幅削減し、住宅商品の低価格化を図ることができる。
【００５９】
さらに、本実施形態では、図６に示されるように、外付化粧材２２と建物１０の外壁２０との間に空間部２６が形成されている。これにより、該空間部２６内に例えば配線４８、５０などを配設することができ、二階部分１６から一階部分１４に亘る配線５０の配設を容易に行うことができる。また、配線４８、５０が外部に露出しないため、建物１０の美観を向上させることができる。
【００６０】
また、ここでは、空間部２６内に蓄電池４２を収容している。そして、外付化粧材２２には、パワーコンディショナ４４と電気的に接続された外部コンセント６４が設けられており、車両用蓄電池６０（図７参照）への給電を可能としている。
【００６１】
図８（Ａ）〜（Ｃ）に示されるように（なお、建物１０の向きは全て同じであり、（Ａ）は南側に車庫が設けられた建物の平面図、（Ｂ）は北側に車庫が設けられた建物の平面図、（Ｃ）は東側に車庫が設けられた建物の平面図である。）、通常、建物１０のファサード側は、道路７０に接する側（いわゆる接道側）となっているため、車庫６８が設けられる場合が多い。
【００６２】
このため、外付化粧材２２に、蓄電池４２と電気的に接続された外部コンセント６４（図７参照）を設けることで、外付化粧材２２内に設けられた蓄電池４２による給電が可能となり、車両用蓄電池６０を充電することができる。これによると、延長コードを用いて建物１０内のコンセントから給電しなくて済むため便利である。
【００６３】
このように、建物１０をファサード化するために形成された空間部２６を利用することで、スペースの有効利用が図られる。そして、外付化粧材２２の空間部２６内に蓄電池４２を収容することで、屋内に蓄電池４２の保管場所を設ける必要が無い。蓄電池４２の保管場所を確保するため、建物１０の屋内側の一部が犠牲となり、建物１０の内壁側に凹凸部が設けられる場合もあるが、そのような問題は生じない。
【００６４】
（本実施形態の補足説明）
図６に示されるように、外付化粧材２２に蓄電池４２を収容する場合、外付化粧材２２と建物１０の外壁２０の少なくとも一部に断熱材（一例として、グラスウール）を設けても良い。これによると、外付化粧材２２と建物１０の外壁２０との間の空間部２６内に蓄電池４２を収容した場合でも、建物１０内外の温度の影響を受け難く、また、空間部２６内の温度が建物１０内に伝達され難くなる。つまり、建物１０の内部の断熱効果を上げることができる。
【００６５】
また、本実施形態では、外付化粧材２２に、建物１０側の窓部３０又は玄関３４と対向させて開口部３２を設けている。これにより、窓部３０や玄関３４の位置に拘束されることなく、自由に外付化粧材２２を外壁２０に外付けすることができるため、建物１０の設計の自由度が広がる。また、窓部３０と対向させて設けた開口部３２に断熱ガラス（図示省略）を用いて二重に断熱にすることもできる。
【００６６】
さらに、本実施形態では、図６に示されるように、非接触部２８内で直流用の配線４８と交流用の配線５０とを独立させた状態で配設している。これにより、直流用の配線４８と交流用の配線５０とで取付けミスを防止することができる。また、直流用の配線４８と交流用の配線５０を独立させた状態で配設することで、配線４８への電磁波ノイズの影響を抑制することができる。
【００６７】
なお、図６では配線４８、５０がそれぞれ１本ずつ配設されているが、複数本の配線を配設する場合、直流用の配線４８と交流用の配線５０に分けて、それぞれ直流用配管４９、交流用配管５１へ挿通させるようにしても良い。また、ここでは、外付化粧材２２の非接触部２８内で直流用の配線４８と交流用の配線５０とを独立させた状態で配設したが、図１（Ｂ）に示されるように、外付化粧材２２に非接触部２７、２８は２箇所設けられているため、非接触部２７に直流用の配線４８（仮想線で示す）を配設し、非接触部２８に交流用の配線５０を配設しても良い。
【００６８】
また、本実施形態では、外付化粧材２２が建物１０の一階部分から二階部分に亘って高さ方向に延設されているが、この外付化粧材２２は必ずしも一体物である必要はなく、複数の化粧部材（図示省略）に分割されたものを接合して、１つの外付化粧材２２を形成しても良い。この場合、各化粧部材の外形は小さくなるため、化粧部材が持ち運びし易くなり、外付化粧材２２の搬送性が向上する。
【００６９】
また、本実施形態では、図１（Ｂ）に示されるように、外付化粧材２２は、幅方向の中央部に外壁２０と接触する接触部２４が設けられ、幅方向の外縁に水平断面がコ字状の非接触部２８が設けられた形状としているが、外付化粧材がいわゆる接触部及び非接触部を備えていれば良いため、この形状に限るものではない。また、参考例として、図９（Ｂ）に示されるように、外付化粧材７２の水平断面がコ字状を成す形状がある。この場合、外付化粧材７２の幅方向の外縁部が接触部７４となり、外付化粧材７２と外壁２０とで囲まれた空間部７６が矩形状を成す。これらは外付化粧材が幅方向に沿って少なくとも凸状となる形状であるが、これ以外にも、図示はしないが、外付化粧材が高さ方向に沿って少なくとも凸状となる形状でも良。
【００７０】
また、本実施形態で、外付化粧材２２の空間部２６に蓄電システム３８を構成する制御装置４３を配設したが、空間部２６内には縦樋（図示省略）等を配設しても勿論良い。また、外付化粧材２２の非接触部２８の側壁部分に開閉可能な扉を設けて、スキーの板やゴルフクラブなどを収納する収納庫として空間部２６内を利用しても良い。
【００７１】
なお、本発明は、要旨を逸脱しない範囲において種々なる態様で実施し得ることは言うまでもない。
【符号の説明】
【００７２】
１０      建物
２０      外壁
２１      外壁
２２      外付化粧材
２３      外壁
２４      接触部（外付化粧材）
２５      外壁
２６      空間部
２７      非接触部（外付化粧材）
２８      非接触部（外付化粧材）
３２      開口部
３６      開口部
３８      蓄電システム
４０      太陽光発電パネル
４２      蓄電池
４８      配線（直流用配管）
４９      直流用配管
５０      配線（交流用配管）
５１      交流用配管
５８      配線（直流用配管）
６２      空間部
６４      外部コンセント（コンセント）
６６      配線（直流用配管）
７２      外付化粧材
７４      接触部
７６      空間部
【図１】
0005728188.tif 000002
【図２】
0005728188.tif 000003
【図３】
0005728188.tif 000004
【図４】
0005728188.tif 000005
【図５】
0005728188.tif 000006
【図６】
0005728188.tif 000007
【図７】
0005728188.tif 000008
【図８】
0005728188.tif 000009
【図９】
0005728188.tif 000010